(57)【要約】【課題】信頼性が高く、安価で、かつ利便性に優れた電子錠式ロッカーシステムを提供する。【解決手段】電子錠式ロッカーシステム１は、複数のロッカーボックス６を有するロッカー本体５を備えている。ロッカー本体５の各ロッカーボックス６には、電子式錠装置２０（図２参照）が組み込まれており、リストバンド型のＩＣロッカーキー１０を用いて、対応するロッカーボックス６の施錠および開錠を行うことができるようになっている。また、ロッカー本体５とは独立して暗証番号設定器３０が設置されており、ＩＣロッカーキー１０のロックおよびロック解除、すなわちＩＣロッカーキー１０からのＩＤ番号の読み取りの可否の設定（無効化および有効化）を行うことができるようになっている。【選択図】  図１
2004251059.tif 000002
【特許請求の範囲】
【請求項１】
複数のロッカーボックスを有するロッカー本体と、
前記各ロッカーボックスに対応するＩＤ情報を保持する電子式ロッカーキーであって、前記ＩＤ情報を容易に複製できない情報として保持するためのセキュア機能を有する電子式ロッカーキーと、
前記電子式ロッカーキーに保持されたＩＤ情報を読み取り、この読み取られたＩＤ情報の適否を判断して前記各ロッカーボックスの施錠および開錠を行う電子式錠装置と、
前記ロッカー本体とは独立して設置された暗証情報設定器であって、利用者により設定される暗証情報に基づいて前記電子式ロッカーキーからのＩＤ情報の読み取りの可否を設定する暗証情報設定器とを備えたことを特徴とする電子錠式ロッカーシステム。
【請求項２】
前記暗証情報設定器により設定される暗証情報は、前記電子式ロッカーキー側に保持されることを特徴とする、請求項１に記載の電子錠式ロッカーシステム。
【請求項３】
前記電子式ロッカーキー側に保持される暗証情報は、暗号化された情報であることを特徴とする、請求項２に記載の電子錠式ロッカーシステム。
【請求項４】
前記暗証情報設定器により設定される暗証情報は、数値情報、文字情報および指紋情報のうちの少なくとも一つの情報を含むことを特徴とする、請求項１乃至３のいずれかに記載の電子錠式ロッカーシステム。
【発明の詳細な説明】
【０００１】
【発明の属する技術分野】
本発明は、手荷物等を一時的に保管するための複数のロッカーボックスを有するロッカーに係り、とりわけ、電子式ロッカーキーを用いて各ロッカーボックスの施錠および開錠を行う電子錠式ロッカーシステムに関する。
【０００２】
【従来の技術】
機械式の鍵（ロッカーキー）を用いる従来のロッカーでは、ロッカーキーの複製が比較的容易であることから、利用者の知らない間にロッカーキーが複製されてしまうおそれがあり、盗難等の被害が起きやすいという問題がある。
【０００３】
このため、最近では、ロッカーの盗難防止性を高めるため、ロッカーキーをＩＣカードやＩＤタグといった複製が困難な電子式ロッカーキーとし、このような電子式ロッカーキーを用いて各ロッカーボックスの施錠および開錠を行うロッカーが提案されている。
【０００４】
また、電子式ロッカーキーを用いる代わりに各ロッカーボックスの扉に暗証番号設定器を設置し、暗証番号による認証処理を行うことで各ロッカーボックスの施錠および開錠を行うロッカーも提案されている。
【０００５】
【発明が解決しようとする課題】
しかしながら、上述した電子式ロッカーキーを用いるロッカーでは、ロッカーキーの複製は困難であるものの、ロッカーキーが紛失したり盗難された場合には、ロッカーの開錠が簡単に行われてしまうという問題がある。
【０００６】
また、上述した暗証番号設定器を用いるロッカーでは、上述したようなロッカーキーの複製や紛失、盗難等に伴う問題はないものの、個々のロッカーボックスごとに暗証番号設定器を設置する必要があることから、システム構成が複雑となり、ロッカーの価格が高額になるという問題がある。また、暗証番号設定器が各ロッカーボックスの扉等に設置されるので、施錠時または開錠時に入力される暗証番号が隣接したロッカーボックスを利用する他の利用者等から盗み見されやすく、そのような場合には、ロッカーの開錠が簡単に行われてしまうという問題がある。なお、この後者の問題については、開錠時に暗証番号とともにロッカー番号や施錠時刻等の入力を要求するといった手法も提案されているが、利用者の操作が複雑となってしまうことから、使い勝手が悪くなるという問題がある。
【０００７】
本発明はこのような点を考慮してなされたものであり、ロッカーキーが紛失したり盗難された場合でもロッカーの開錠が簡単に行われることがなく、かつ暗証番号の盗み見等の問題に対しても効果的に対応することができる、信頼性が高く、安価で、かつ利便性に優れた電子錠式ロッカーシステムを提供することを目的とする。
【０００８】
【課題を解決するための手段】
本発明は、複数のロッカーボックスを有するロッカー本体と、前記各ロッカーボックスに対応するＩＤ情報を保持する電子式ロッカーキーであって、前記ＩＤ情報を容易に複製できない情報として保持するためのセキュア機能を有する電子式ロッカーキーと、前記電子式ロッカーキーに保持されたＩＤ情報を読み取り、この読み取られたＩＤ情報の適否を判断して前記各ロッカーボックスの施錠および開錠を行う電子式錠装置と、前記ロッカー本体とは独立して設置された暗証情報設定器であって、利用者により設定される暗証情報に基づいて前記電子式ロッカーキーからのＩＤ情報の読み取りの可否を設定する暗証情報設定器とを備えたことを特徴とする電子錠式ロッカーシステムを提供する。
【０００９】
なお、本発明において、前記暗証情報設定器により設定される暗証情報は、前記電子式ロッカーキー側に保持されることが好ましい。また、このような電子式ロッカーキー側に保持される暗証情報は暗号化された情報であることが好ましい。さらに、前記暗証情報設定器により設定される暗証情報は、数値情報、文字情報および指紋情報のうちの少なくとも一つの情報を含むことが好ましい。
【００１０】
本発明によれば、暗証情報設定器により電子式ロッカーキーのロックおよびロック解除、すなわち電子式ロッカーキーからのＩＤ情報の読み取りの可否の設定（無効化および有効化）を行うことができるので、電子式ロッカーキーが紛失したり盗難された場合でも、暗証情報を入力して電子式ロッカーキーのロックを解除しない限り、ロッカーの開錠を行うことができないようにすることができ、ロッカーの盗難防止性を向上させることができる。また、暗証情報として利用者個人のユニークな暗証情報を設定することが可能であるので、ロッカーを利用する他の利用者による不正利用だけでなく、ロッカーを管理する店舗側の不正利用をも防止することができる。
【００１１】
また、本発明によれば、暗証情報設定器により電子式ロッカーキー自体のロックおよびロック解除を行う方式としたので、ロッカー本体や電子式錠装置等の構成を大幅に変更する必要がなく、低コストで盗難防止性を向上させることができる。また、ロッカー本体の個々のロッカーボックスごとに暗証情報設定器を設置する必要がないので、システム構成を簡易化することができ、また、スペース配置の面でも有利である。
【００１２】
さらに、本発明によれば、暗証情報設定器をロッカー本体とは独立して設置しているので、隣接したロッカーボックスを利用する他の利用者等により暗証情報が盗み見されることを効果的に回避することが可能となる。また、この場合には、仮に暗証情報設定器に入力された暗証情報が盗み見されたとしても、その電子式ロッカーキーに対応するロッカーボックスの位置が特定されてしまうことがないので、暗証情報の盗み見が直接的にロッカーの開錠につながらないという利点もある。
【００１３】
なお、本発明によれば、暗証情報設定器により設定される暗証情報を電子式ロッカーキー側に保持させることにより、暗証情報設定器側の構成を簡素化することができる。また、この場合には、ロックおよびロック解除の処理を異なる暗証情報設定器により行うことができるという利点もある。
【００１４】
【発明の実施の形態】
以下、図面を参照して本発明の実施の形態について説明する。
【００１５】
まず、図１および図２により、本発明の一実施の形態に係る電子錠式ロッカーシステムの構成について説明する。
【００１６】
図１に示すように、本実施の形態に係る電子錠式ロッカーシステム１は、複数のロッカーボックス６を有するロッカー本体５を備えている。
【００１７】
ここで、ロッカー本体５の各ロッカーボックス６には、電子式錠装置２０（図２参照）が組み込まれており、リストバンド型のＩＣロッカーキー（電子式ロッカーキー）１０を用いて、対応するロッカーボックス６の施錠および開錠を行うことができるようになっている。また、ロッカー本体５とは独立して暗証番号設定器（暗証情報設定器）３０が設置されており、利用者により設定される暗証情報に基づいてＩＣロッカーキー１０のロックおよびロック解除、すなわちＩＣロッカーキー１０からのＩＤ番号の読み取りの可否の設定（無効化および有効化）を行うことができるようになっている。
【００１８】
このうち、ＩＣロッカーキー１０は、ロッカー本体５の対応するロッカーボックス６の施錠および開錠を行うための鍵であり、図２に示すように、ＲＦＩＤ（ｒａｄｉｏ  ｆｒｅｑｕｅｎｃｙ  ｉｄｅｎｔｉｆｉｃａｔｉｏｎ）タグ等のＩＤタグ１１を内蔵し、電子式錠装置２０のＩＤ番号読取器２１や暗証番号設定器３０のリーダライタ３１との間で電波等の手段により情報のやりとりを行うことができるようになっている。
【００１９】
なお、ＩＤタグ１１には、ＩＣロッカーキー１０により施錠および開錠を行うことが可能なロッカーボックスの番号をユニークなＩＤ番号として記憶するＩＤ番号記憶エリア１２と、暗証番号設定器３０により設定される暗証番号を記憶する暗証番号記憶エリア１３とが設けられている。ここで、ＩＤタグ１１は、ＩＤ番号記憶エリア１２に記憶されたＩＤ番号および暗証番号記憶エリア１３に記憶された暗証番号を容易に複製できない情報として保持するためのセキュア機能を有している。このようなセキュア機能としては例えば、ＩＤ番号および暗証番号に各種の暗号処理（例えばスクランブル処理等）を施して、ＩＤ番号および暗証番号を暗号化された情報として保持する方法を用いることができる。また、ＩＤタグ１１には、ＩＣロッカーキー１０の管理状態（発行中／回収中）を表す活性化フラグ１４と、ＩＣロッカーキー１０の状態（ロック状態／ロック解除状態）を表す有効／無効フラグ１５とが設けられている。さらに、ＩＤタグ１１には、必要に応じて、店舗等を限定するための識別コード（図示せず）が記憶されている。
【００２０】
電子式錠装置２０は、ロッカー本体５の対応するロッカーボックス６の施錠および開錠を行うものであり、ＩＤ番号読取器２１、電子錠制御部２２および電子錠２３を有している。このうち、ＩＤ番号読取器２１は、ＩＣロッカーキー１０のＩＤタグ１１のＩＤ番号記憶エリア１２に記憶されたＩＤ番号、活性化フラグ１４に記憶された情報および有効／無効フラグに記憶された情報を電波等の手段により読み取るためのものである。なお、ＩＤ番号読取器２１は、図１に示すように、各ロッカーボックス６の扉に取り付けられている。電子錠制御部２２は、ＩＤ番号読取器２１により読み取られたＩＤ番号およびその他の情報に基づいて、ソレノイド等により構成される電子錠２３を制御するものであり、ＩＤ番号読取器２１により読み取られたＩＤ番号の適否を判断して、利用対象となるロッカーボックス６の施錠および開錠を行うようになっている。なお、電子錠制御部２２には、利用対象となるロッカーボックスのＩＤ番号を記憶しておくためのＩＤ番号記憶エリア２４が設けられている。
【００２１】
暗証番号設定器３０は、ロッカー本体５のロッカーボックス６の施錠および開錠を行うための鍵であるＩＣロッカーキー１０自体のロックおよびロック解除を行うものであり、リーダライタ３１、入力器３２、表示器３３および中央処理部３４を有している。このうち、リーダライタ３１は、ＩＣロッカーキー１０のＩＤタグ１１のＩＤ番号記憶エリア１２に記憶されたＩＤ番号および暗証番号記憶エリア１３に記憶された暗証番号を電波等の手段により読み書きするためのものである。入力器３２は、ＩＣロッカーキー１０のロックおよびロック解除を行うために必要とされる暗証番号を入力するためのものであり、図１に示すように、「０」〜「９」までの数字情報を入力するためのテンキーボタンを有する。表示器３３は、ＩＣロッカーキー１０のＩＤタグ１１のＩＤ番号記憶エリア１２に記憶されているＩＤ番号や入力器３２を介して入力された暗証番号等を表示するためのものである。中央処理部３４は、リーダライタ３１および入力器３２を介して取得された情報に基づいてＩＣロッカーキー１０のロックおよびロック解除、すなわちＩＣロッカーキー１０からのＩＤ番号の読み取りの可否の設定（無効化および有効化）を行うためのものである。
【００２２】
次に、このような構成からなる本実施の形態の作用について説明する。
【００２３】
＜電子錠式ロッカーシステムの運用手順＞
まず、図３により、図１および図２に示す電子錠式ロッカーシステム１の運用手順の概要について説明する。
【００２４】
（ＩＣロッカーキーの発行）
店舗へのチェックインを希望する利用者がフロントに来訪すると、管理者は、フロント側で管理されているＩＣロッカーキーの中から一つのＩＣロッカーキー１０を選択し、そのＩＣロッカーキー１０に対して活性化処理を施した後（ステップ１０１）、利用者に対して発行する（ステップ１０２）。ここで、ＩＣロッカーキー１０に対する「活性化処理」とは、ＩＣロッカーキー１０がロッカーボックス６の施錠および開錠を行うための鍵として実際に機能するような状態におくことをいい、具体的な方法としては、管理装置（図示せず）によって、ＩＣロッカーキー１０のＩＤタグ１１の活性化フラグ１４に、発行中であることを表す情報を保持させることにより行うことができる。なお、このようにしてＩＣロッカーキー１０を発行した時点では、ＩＤタグ１１のＩＤ番号記憶エリア１２および暗証番号記憶エリア１３には有意な情報は記憶されていない。また、有効／無効フラグ１５にはＩＣロッカーキー１０がロック解除状態にあることを表す情報が記憶されている。
【００２５】
（ロッカーボックスの選択）
次に、利用者は、ロッカー本体５の未使用のロッカーボックス６の中から所望のロッカーボックス６を選択し（ステップ１０３）、利用者の腕等に装着されたリストバンド型のＩＣロッカーキー１０を、選択されたロッカーボックス６の扉に取り付けられている電子式錠装置２０のＩＤ番号読取器２１に近付ける（図１参照）。これにより、ＩＣロッカーキー１０のＩＤタグ１１のＩＤ番号記憶エリア１２にロッカーボックス６のＩＤ番号が保持される（ステップ１０４）。なおこのとき、ＩＣロッカーキー１０のＩＤタグ１１の活性化フラグ１４に記憶されている情報に基づいてＩＣロッカーキー１０が発行中の状態にあるものか否かを判断するようにするとよく、これにより、店舗のフロントから適正に発行されたものでないＩＣロッカーキー１０の不正利用を防止することができる。
【００２６】
（ロッカーボックスの施錠）
その後、利用者は、選択されたロッカーボックス６内に手荷物等を収納した後、再度、ＩＣロッカーキー１０を、選択されたロッカーボックス６の扉に取り付けられている電子式錠装置２０のＩＤ番号読取器２１に近付ける（図１参照）。電子式錠装置２０は、ＩＤ番号読取器２１によりＩＣロッカーキー１０のＩＤタグ１１のＩＤ番号記憶エリア１２に記憶されているＩＤ番号を読み取り、この読み取られたＩＤ番号の適否を判断してロッカーボックス６の施錠を行う（ステップ１０５）。これにより、選択されたロッカーボックス６の利用が開始される。
【００２７】
（ＩＣロッカーキーのロックおよびロック解除）
ロッカーボックス６の利用が開始された後、利用者は、必要に応じて、暗証情報設定器３０によりＩＣロッカーキー１０のロックを行い、ＩＣロッカーキー１０からのＩＤ番号の読み取りを無効化する（ステップ１０６）。具体的には、暗証情報設定器３０によりＩＣロッカーキー１０のＩＤタグ１１の暗証番号記憶エリア１３に暗証番号を記憶させるとともに、ＩＤタグ１１の有効／無効フラグ１５にＩＣロッカーキー１０がロック状態にあることを表す情報を記憶させる。
【００２８】
この状態で、利用者が店舗内の施設等を利用し終え、ロッカーボックス６を開いて手荷物等を取り出す場合には、それに先立って、暗証情報設定器３０によりＩＣロッカーキー１０のロック解除を行い、ＩＣロッカーキー１０からのＩＤ番号の読み取りを有効化する（ステップ１０７）。
【００２９】
このようにしてＩＣロッカーキー１０のロックを行うことにより、利用者が店舗内の施設等を利用している間にＩＣロッカーキー１０が紛失したり盗難された場合でも、暗証番号を入力してＩＣロッカーキー１０のロックを解除しない限り、ロッカーの開錠を行うことができないようにすることができる。
【００３０】
（ロッカーボックスの開錠）
その後、利用者は、ロッカーボックス６を実際に開くため、ＩＣロッカーキー１０を、選択されたロッカーボックス６の扉に取り付けられている電子式錠装置２０のＩＤ番号読取器２１に近付ける（図１参照）。電子式錠装置２０は、ＩＤ番号読取器２１によりＩＣロッカーキー１０のＩＤタグ１１のＩＤ番号記憶エリア１２に記憶されているＩＤ番号を読み取り、この読み取られたＩＤ番号の適否を判断してロッカーボックス６の開錠を行う（ステップ１０８）。なお、この場合に、ＩＣロッカーキー１０のＩＤタグ１１の有効／無効フラグ１５に記憶されている情報に基づいてＩＣロッカーキー１０がロック状態にあるかロック解除状態にあるかを判断し、ＩＣロッカーキー１０がロック解除状態にある場合にのみＩＤタグ１１のＩＤ番号記憶エリア１２に記憶されているＩＤ番号を読み取るようにする。
【００３１】
なおこのとき、ＩＣロッカーキー１０のＩＤタグ１１の有効／無効フラグ１５に対する判断に加えて、ＩＤタグ１１の暗証番号記憶エリア１３に暗証番号が記憶されているか否かを判断し、ＩＣロッカーキー１０がロック解除状態にある場合であっても暗証番号が記憶されていない場合には、ＩＤタグ１１のＩＤ番号記憶エリア１２に記憶されたＩＤ番号の読み取りを禁止するようにしてもよい。これにより、店舗のフロントから発行された状態のままで紛失したり盗難された場合の不正利用を防止することができる。
【００３２】
以上により、ロッカーボックス６の利用が終了する。なお、必要に応じて、上述したステップ１０５乃至１０８の処理を繰り返し行うことが可能である。
【００３３】
（ＩＣロッカーキーの回収）
その後、管理者は、店舗からのチェックアウトを希望する利用者から、ＩＣロッカーキー１０を回収し（ステップ１０９）、ＩＣロッカーキー１０に対する活性化処理を解除する（ステップ１１０）。具体的には例えば、管理装置（図示せず）によって、ＩＣロッカーキー１０の活性化フラグ１４に、回収中であることを表す情報を保持させる。なお、このようにしてＩＣロッカーキー１０を回収した時点で、ＩＤタグ１１のＩＤ番号記憶エリア１２および暗証番号記憶エリア１３に記憶されている情報を消去する。また、ＩＤタグ１１の有効／無効フラグ１５には、ＩＣロッカーキー１０がロック解除状態にあることを表す情報が記憶されているようにする。
【００３４】
＜ロッカーボックスの選択、開錠および施錠＞
次に、図４により、図３に示すステップ１０３、１０４、１０５および１０８の処理（ロッカーボックス６の選択、施錠および開錠の動作）を、電子式錠装置２０における制御の流れに沿って詳細に説明する。
【００３５】
（初期設定モード）
利用者が、ロッカー本体５の所望のロッカーボックス６を最初に利用する場合には、利用者の腕等に装着されたリストバンド型のＩＣロッカーキー１０を、所望のロッカーボックス６の扉に取り付けられている電子式錠装置２０のＩＤ番号読取器２１に近付ける（図１参照）。
【００３６】
ここで、ＩＤ番号読取器２１においては、図４に示すように、ＩＣロッカーキー１０のＩＤタグ１１との間で通信が可能な状態にあるか否かが常時監視されており（ステップ２０１）、ＩＣロッカーキー１０がＩＤ番号読取器２１に近付けられてＩＣロッカーキー１０のＩＤタグ１１との間で通信が可能な状態になった時点で、ＩＤタグ１１の活性化フラグ１４に記憶されている情報が読み取られ、電子錠制御部２２へ送られる（ステップ２０２）
電子錠制御部２２においては、まず、ＩＣロッカーキー１０に対して活性化処理が施されているか否かを判断する（ステップ２０３）。
【００３７】
ここで、ＩＣロッカーキー１０に対して活性化処理が施されていると判断された場合には、ステップ２０４へ進み、利用対象となるロッカーボックス６が未使用であるか否かを判断する。
【００３８】
ロッカー本体５のロッカーボックス６を最初に利用する場合には、ステップ２０４において、利用対象となるロッカーボックス６が未使用であると判断されるので、ステップ２０５へ進み、電子錠制御部２２内のＩＤ番号記憶エリア２４に記憶されているロッカーボックスのＩＤ番号をＩＣロッカーキー１０のＩＤタグ１１のＩＤ番号記憶エリア１２に記憶させる。これにより、利用対象となるロッカーボックス６の初期設定処理が完了する。
【００３９】
なお、このようにしてＩＣロッカーキー１０のＩＤタグ１１のＩＤ番号記憶エリア１２にＩＤ番号が一度記憶されると、それ以降の動作においては、後述するように、ＩＣロッカーキー１０から読み取られたＩＤ番号と電子錠制御部２２内のＩＤ番号記憶エリア２４に記憶されているＩＤ番号とが一致しているか否かが判断されることとなり、両者が一致しているときにのみ施錠および開錠が行われる。すなわち、利用対象となるロッカーボックス６の施錠および開錠を行うことができるのは、初期設定処理によりＩＤ番号が記憶されたＩＣロッカーキー１０のみとなる。
【００４０】
（施錠モード）
上述したようにして初期設定処理が行われた開錠状態のロッカーボックス６のＩＤ番号読取器２１に対して、同様にしてＩＣロッカーキー１０を近付けると、ＩＤ番号読取器２１および電子錠制御部２２により、上述したステップ２０１乃至２０４と同様の手順に従って処理が行われ、ステップ２０４において、利用対象となるロッカーボックス６が未使用であるか否かが判断される。
【００４１】
このとき、利用対象となるロッカーボックス６に対して初期設定処理が行われている場合には、ステップ２０６へ進み、ＩＣロッカーキー１０のＩＤタグ１１の有効／無効フラグ１５に記憶されている情報を読み取る（ステップ２０７）。
【００４２】
そして、このようにして読みとられた情報に基づいてＩＣロッカーキー１０がロック状態にあるかロック解除状態にあるかを判断し、ＩＣロッカーキー１０がロック解除状態にある場合にのみＩＤタグ１１のＩＤ番号記憶エリア１２に記憶されているＩＤ番号を読み取る（ステップ２０８）。
【００４３】
その後、電子式錠装置２０の電子錠２３の状態（開錠状態または施錠状態）を判断し（ステップ２０９）、利用対象となるロッカーボックス６が開錠状態である場合には、ステップ２１０へ進み、ＩＣロッカーキー１０から読み取られたＩＤ番号と電子錠制御部２２内のＩＤ番号記憶エリア２４に記憶されているＩＤ番号とが一致しているか否かを判断する。
【００４４】
ここで、両者が一致していると判断された場合には、電子錠制御部２２により電子錠２３が制御されて施錠処理が行われ（ステップ２１１）、両者が一致していないと判断された場合には、電子錠２３に対する制御が行われず開錠状態が維持される（ステップ２１２）。
【００４５】
（開錠モード）
一方、初期設定処理が行われた施錠状態のロッカーボックス６のＩＤ番号読取器２１に対してＩＣロッカーキー１０を近付けた場合には、ＩＤ番号読取器２１および電子錠制御部２２により、上述したステップ２０１乃至２０９と同様の手順に従って処理が行われ、ステップ２０９において、電子式錠装置２０の電子錠２３の状態（開錠状態または施錠状態）が判断される。
【００４６】
このとき、利用対象となるロッカーボックス６が施錠状態である場合には、ステップ２１３へ進み、ＩＣロッカーキー１０から読み取られたＩＤ番号と電子錠制御部２２内のＩＤ番号記憶エリア２４に記憶されているＩＤ番号とが一致しているか否かを判断する。
【００４７】
ここで、両者が一致していると判断された場合には、電子錠制御部２２により電子錠２３が制御されて開錠処理が行われ（ステップ２１４）、両者が一致していないと判断された場合には、電子錠２３に対する制御が行われず施錠状態が維持される（ステップ２１５）。
【００４８】
＜ＩＣロッカーキーのロックおよびロック解除＞
次に、図５により、図３に示すステップ１０６および１０７の処理（ＩＣロッカーキー１０のロックおよびロック解除の動作）を、暗証情報設定器３０における制御の流れに沿って詳細に説明する。
【００４９】
（ロックモード）
利用者が、ＩＣロッカーキー１０のロックを行ってＩＣロッカーキー１０からのＩＤ番号の読み取りを無効化することを希望する場合には、利用者の腕等に装着されたリストバンド型のＩＣロッカーキー１０を暗証番号設定器３０のリーダライタ３１に近付けるとともに、暗証番号設定器３０の入力器３２により、任意の暗証番号を入力する（図１参照）。
【００５０】
ここで、暗証番号設定器３０においては、図５に示すように、ＩＣロッカーキー１０のＩＤタグ１１との間で通信が可能な状態にあるか否かが常時監視されており（ステップ３０１）、ＩＣロッカーキー１０がリーダライタ３１に近付けられてＩＣロッカーキー１０のＩＤタグ１１との間で通信が可能な状態になった時点で、ＩＣロッカーキー１０のＩＤタグ１１の暗証番号記憶エリア１３に記憶されている情報および有効／無効フラグ１５に記憶されている情報が読み取られ、中央処理部３４へ送られる（ステップ３０２および３０３）。また、入力器３２を介して入力された暗証番号は、中央処理部３４へ送られる（ステップ３０４）。
【００５１】
中央処理部３４においては、まず、ＩＣロッカーキー１０のＩＤタグ１１の有効／無効フラグ１５から読み取られた情報に基づいてＩＣロッカーキー１０がロック状態にあるかロック解除状態にあるかを判断する（ステップ３０５）。
【００５２】
ステップ３０５において、ＩＣロッカーキー１０がロック解除状態にあると判断された場合には、ステップ３０６へ進み、入力器３２を介して入力された暗証番号を、リーダライタ３１を介して、ＩＣロッカーキー１０のＩＤタグ１１の暗証番号記憶エリア１３に記憶させる。また、リーダライタ３１を介して、ＩＤタグ１１の有効／無効フラグ１５にＩＣロッカーキー１０がロック状態にあることを表す情報を記憶させ、ＩＣロッカーキー１０からのＩＤ番号の読み取りを無効化する（ステップ３０７）。
【００５３】
（ロック解除モード）
一方、利用者が、ＩＣロッカーキー１０のロック解除を行ってＩＣロッカーキー１０からのＩＤ番号の読み取りを有効化することを希望する場合には、同様にして、ＩＣロッカーキー１０を暗証番号設定器３０のリーダライタ３１に近付けるとともに、暗証番号設定器３０の入力器３２により、ロック時に設定された暗証番号を入力する。これにより、リーダライタ３１および中央処理部３４により、上述したステップ３０１乃至３０５と同様の手順に従って処理が行われ、ステップ３０５において、ＩＣロッカーキー１０がロック状態にあるかロック解除状態にあるかが判断される。
【００５４】
ステップ３０５において、ＩＣロッカーキー１０がロック状態にあると判断された場合には、ステップ３０８へ進み、入力器３２を介して入力された暗証番号とＩＣロッカーキー１０から読み取られた暗証番号とが一致しているか否かを判断する。
【００５５】
ここで、両者が一致していると判断された場合には、リーダライタ３１を介して、ＩＤタグ１１の有効／無効フラグ１５にＩＣロッカーキー１０がロック解除状態にあることを表す情報を記憶させ、ＩＣロッカーキー１０からのＩＤ番号の読み取りを有効化する（ステップ３０９）。一方、両者が一致しないと判断された場合には、ロック状態が維持される（ステップ３１０）。
【００５６】
このように本実施の形態によれば、暗証番号設定器３０によりＩＣロッカーキー１０のロックおよびロック解除、すなわちＩＣロッカーキー１０からのＩＤ番号の読み取りの可否の設定（無効化および有効化）を行うことができるので、ＩＣロッカーキー１０が紛失したり盗難された場合でも、暗証番号を入力してＩＣロッカーキー１０のロックを解除しない限り、ロッカーの開錠を行うことができないようにすることができ、ロッカーの盗難防止性を向上させることができる。また、暗証番号として利用者個人のユニークな暗証番号を設定することが可能であるので、ロッカーを利用する他の利用者による不正利用だけでなく、ロッカーを管理する店舗側の不正利用をも防止することができる。
【００５７】
また、本実施の形態によれば、暗証番号設定器３０によりＩＣロッカーキー１０自体のロックおよびロック解除を行う方式としたので、ロッカー本体５や電子式錠装置２０等の構成を大幅に変更する必要がなく、低コストで盗難防止性を向上させることができる。また、ロッカー本体５の個々のロッカーボックス６ごとに暗証番号設定器３０を設置する必要がないので、システム構成を簡易化することができ、また、スペース配置の面でも有利である。
【００５８】
さらに、本実施の形態によれば、暗証番号設定器３０をロッカー本体５とは独立して設置しているので、隣接したロッカーボックスを利用する他の利用者等により暗証番号が盗み見されることを効果的に回避することが可能となる。また、この場合には、仮に暗証番号設定器３０に入力された暗証番号が盗み見されたとしても、そのＩＣロッカーキー１０に対応するロッカーボックス６の位置が特定されてしまうことがないので、暗証番号の盗み見が直接的にロッカーの開錠につながらないという利点もある。
【００５９】
さらにまた、本実施の形態によれば、暗証番号設定器３０により設定される暗証番号をＩＣロッカーキー１０側に保持させるようにしているので、暗証番号設定器３０側の構成を簡素化することができる。また、この場合には、ロックおよびロック解除の処理を異なる暗証番号設定器３０により行うことができるという利点もある。
【００６０】
なお、上述した実施の形態においては、ＩＣロッカーキー１０として、ＩＤタグ１１を内蔵したリストバンドの形状のものを用いているが、ＩＤ番号や暗証番号を記憶して電子式錠装置２０のＩＤ番号読取器２１や暗証番号設定器３０のリーダライタ３１との間で情報のやりとりを行うことができるものであり、かつ情報を容易に複製できないように保持するためのセキュア機能を有するものであれば、これに限らず、非接触式または接触式のＩＣカード等の任意の形状および記憶方式のものを用いることができる。
【００６１】
また、上述した実施の形態においては、ＩＣロッカーキー１０からのＩＤ番号の読み取りを無効化する方法として、ＩＣロッカーキー１０の有効／無効フラグ１５にＩＣロッカーキー１０の状態（ロック状態／ロック解除状態）を表す情報を保持させ、電子式錠装置２０側で当該情報を判断する方法を用いているが、これに限らず、読み取りの対象となるＩＣロッカーキー１０のＩＤタグ１１のＩＤ番号記憶エリア１２に記憶されているＩＤ番号を、電子式錠装置２０では読み取ることができないものに書き替える方法等を用いることもできる。
【００６２】
さらに、上述した実施の形態においては、ＩＣロッカーキー１０のＩＤタグ１１のＩＤ番号記憶エリア１２に、利用者が選択した任意のロッカーボックス６の電子式錠装置２０のＩＤ番号記憶エリア２４に記憶されたロッカーボックスのＩＤ番号を記憶させることにより、ＩＣロッカーキー１０とロッカーボックス６とを互いに対応付ける方式を採用しているが、これに限らず、管理者があらかじめ、ＩＣロッカーキー１０のＩＤタグ１１のＩＤ番号記憶エリア１２に、対応するロッカーボックスのＩＤ番号を記憶させておくことにより、ＩＣロッカーキー１０とロッカーボックス６とを互いに対応付けるようにしてもよい。なお、この後者の場合には、ＩＣロッカーキー１０のＩＤタグ１１に使用開始フラグを設け、利用者により実際にロッカーボックス６の利用が開始されたか否かに関する情報を記憶させるようにするとよい。
【００６３】
さらに、上述した実施の形態においては、暗証番号設定器３０により設定される暗証番号をＩＣロッカーキー１０のＩＤタグ１１の暗証番号記憶エリア１３に記憶させるようにしているが、当該暗証番号はＩＣロッカーキー１０に保持されているＩＤ番号に関連付けて保持されていればよく、例えば、暗証番号設定器３０の中央処理部３４にＩＤ番号とともに記憶させるようにしてもよい。
【００６４】
さらにまた、上述した実施の形態においては、暗証番号設定器３０により暗証番号を設定することによりＩＣロッカーキー１０のロックおよびロック解除が特定の利用者のみによってなされることを保証しているが、暗証情報としては、数字情報からなる暗証番号以外の任意のものを用いることができ、例えば、文字情報や指紋情報等を用いるようにしてもよい。なお、指紋情報を用いる場合には、暗証番号を用いる場合に比べて安全性を向上させることが容易である。
【００６５】
【発明の効果】
以上説明したように本発明によれば、ロッカーキーが紛失したり盗難された場合でもロッカーの開錠が簡単に行われることがなく、かつ暗証番号の盗み見等の問題に対しても効果的に対応することができる。
【図面の簡単な説明】
【図１】本発明の一実施の形態に係る電子錠式ロッカーシステムの概要を説明するための図。
【図２】図１に示す電子錠式ロッカーシステムの詳細を示すブロック図。
【図３】図１および図２に示す電子錠式ロッカーシステムの運用手順の概要を説明するためのフローチャート。
【図４】図１および図２に示す電子錠式ロッカーシステムの電子式錠装置における制御の流れを説明するためのフローチャート。
【図５】図１および図２に示す電子錠式ロッカーシステムの暗証番号設定器における制御の流れを説明するためのフローチャート。
【符号の説明】
１  電子錠式ロッカーシステム
５  ロッカー本体
６  ロッカーボックス
１０  ＩＣロッカーキー
１１  ＩＤタグ
１２  ＩＤ番号記憶エリア
１３  暗証番号記憶エリア
１４  活性化フラグ
１５  有効／無効フラグ
２０  電子式錠装置
２１  ＩＤ番号読取器
２２  電子錠制御部
２３  電子錠
２４  ＩＤ番号記憶エリア
３０  暗証番号設定器
３１  リーダライタ
３２  入力器
３３  表示器
３４  中央処理部
【図１】
2004251059.tif 000003
【図２】
2004251059.tif 000004
【図３】
2004251059.tif 000005
【図４】
2004251059.tif 000006
【図５】
2004251059.tif 000007